(57)【要約】  本願の実施例は、上りデータのフィードバックに関する通信性能を向上させることができる無線通信方法及び通信デバイスを提供する。該方法は、端末デバイスが上りデータを少なくとも１回送信し、前記少なくとも１回の上りデータの毎回の上りデータに対して前記毎回の上りデータの伝送情報を送信することを含み、前記毎回の上りデータの伝送情報は、前記毎回の上りデータの番号、前記少なくとも１回の上りデータの総回数、前記少なくとも１回の上りデータのうちの現在送信された上りデータの回数のうちの少なくとも１つを含む。
2022502884.tif 000002
【特許請求の範囲】
【請求項１】
端末デバイスが上りデータを少なくとも１回送信し、前記少なくとも１回の上りデータの毎回の上りデータに対して前記毎回の上りデータの伝送情報を送信することを含み、
前記毎回の上りデータの伝送情報は、前記毎回の上りデータの番号、前記少なくとも１回の上りデータの総回数、前記少なくとも１回の上りデータのうちの現在送信された上りデータの回数のうちの少なくとも１つを含む
ことを特徴とする無線通信方法。
【請求項２】
前記端末デバイスが上りデータを少なくとも１回送信することは、
前記端末デバイスが免許不要周波数帯域においてチャネルリスニングを行うことと、
チャネルリスニングが成功した場合、前記端末デバイスが前記免許不要周波数帯域において上りデータを前記少なくとも１回送信することとを含む
ことを特徴とする請求項１に記載の無線通信方法。
【請求項３】
前記毎回の上りデータは、単一の伝送ブロックＴＢ、又は、単一の符号化ブロックグループＣＢＧ、又は、マルチストリームに対応する複数のＴＢ又はＣＢＧ、又は、単一の時間領域位置に対応する複数のＴＢ又はＣＢＧを含む
ことを特徴とする請求項１又は２に記載の無線通信方法。
【請求項４】
前記方法は、さらに、
前記端末デバイスが、ネットワークデバイスが前記上りデータに対して送信するフィードバック情報を取得することを含む
ことを特徴とする請求項１〜３のいずれか１項に記載の無線通信方法。
【請求項５】
前記端末デバイスが、ネットワークデバイスが前記上りデータに対して送信するフィードバック情報を取得することは、
前記毎回の上りデータの番号に基づいて、前記毎回の上りデータのフィードバック情報を取得することを含む
ことを特徴とする請求項４に記載の無線通信方法。
【請求項６】
前記毎回の上りデータの番号に基づいて、前記毎回の上りデータのフィードバック情報を取得することは、
前記毎回の上りデータの番号に基づいて、受信されたフィードバックメッセージから前記毎回の上りデータのフィードバック情報が前記フィードバックメッセージで占用するビット位置を決定し、前記フィードバックメッセージが前記少なくとも１回の上りデータのうちの全部又は一部の上りデータのフィードバック情報を含むことと、
前記ビット位置に基づいて、前記フィードバックメッセージから前記毎回の上りデータのフィードバック情報を取得することとを含む
ことを特徴とする請求項５に記載の無線通信方法。
【請求項７】
前記端末デバイスが、ネットワークデバイスが前記上りデータに対して送信するフィードバック情報を取得することは、
前記少なくとも１回の上りデータの総回数又はフィードバックメッセージの予め設定された長さに基づいて、フィードバックメッセージを受信するリソースを決定し、前記フィードバックメッセージが前記少なくとも１回の上りデータのうちの全部又は一部の上りデータのフィードバック情報を含むことと、
決定された前記リソースにおいて、前記フィードバックメッセージを受信することとを含む
ことを特徴とする請求項４〜６のいずれか１項に記載の無線通信方法。
【請求項８】
前記フィードバックメッセージが予め設定された長さを有する場合、前記上りデータのフィードバック情報が前記フィードバックメッセージの予め設定された位置に位置し、他の位置がプレースホルダ信号を充填するために使用される
ことを特徴とする請求項５〜７のいずれか１項に記載の無線通信方法。
【請求項９】
前記毎回の上りデータの番号に基づいて、前記毎回の上りデータのフィードバック情報を取得することは、
前記毎回の上りデータの番号に基づいて、前記毎回の上りデータのフィードバック情報が占用するコード領域リソースを決定することと、
前記毎回の上りデータのフィードバック情報的コード領域リソースに基づいて、前記毎回の上りデータのフィードバック情報を取得することとを含む
ことを特徴とする請求項５に記載の無線通信方法。
【請求項１０】
前記方法は、さらに、
前記端末デバイスがネットワークデバイスにより送信された第１の情報を受信することを含み、前記第１の情報が前記ネットワークデバイスの前記上りデータに対するフィードバックモードを示し、前記フィードバックモードが実際に伝送される上りデータに基づいて前記上りデータのフィードバックメッセージが占用するリソース及び／又はフィードバックメッセージのビット構成を決定することを指示する
ことを特徴とする請求項１〜９のいずれか１項に記載の無線通信方法。
【請求項１１】
前記第１の情報は、無線リソース制御ＲＲＣシグナリング又は媒体アクセス制御ＭＡＣシグナリングに搬送される
ことを特徴とする請求項１０に記載の無線通信方法。
【請求項１２】
前記方法は、さらに、
前記端末デバイスが送信可能な上りデータの回数の最大値に基づいて、
前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定することを含む
ことを特徴とする請求項１〜１１のいずれか１項に記載の無線通信方法。
【請求項１３】
前記方法は、さらに、
前記端末デバイスがネットワークデバイスにより送信された第２の情報を受信することを含み、前記第２の情報が前記端末デバイスが送信可能な上りデータの回数の最大値を示す
ことを特徴とする請求項１２に記載の無線通信方法。
【請求項１４】
前記少なくとも１回の上りデータが時間領域に少なくとも１つの位置を占用する
ことを特徴とする請求項１〜１３のいずれか１項に記載の無線通信方法。
【請求項１５】
同一の時間領域位置で複数の周波数領域位置を占用して上りデータを複数回送信する
ことを特徴とする請求項１４に記載の無線通信方法。
【請求項１６】
前記複数の周波数領域位置は、それぞれ異なる帯域幅部分ＢＷＰ又は異なるサブバンドに属する
ことを特徴とする請求項１５に記載の無線通信方法。
【請求項１７】
前記上りデータと前記伝送情報とは、物理上り共有チャネルＰＵＳＣＨに搬送される
ことを特徴とする請求項１〜１６のいずれか１項に記載の無線通信方法。
【請求項１８】
ネットワークデバイスが、端末デバイスにより少なくとも１回送信された上りデータ、及び前記少なくとも１回の上りデータの毎回の上りデータに対して端末デバイスにより送信された前記毎回の上りデータの伝送情報を受信することと、
前記上りデータの伝送情報に基づいて、前記ネットワークデバイスが前記端末デバイスに前記上りデータのフィードバック情報を送信することとを含み、
前記毎回の上りデータの伝送情報は、前記毎回の上りデータの番号、前記少なくとも１回の上りデータの総回数、現在送信された上りデータの回数のうちの少なくとも１つを含む
ことを特徴とする無線通信方法。
【請求項１９】
前記少なくとも１回の上りデータと前記伝送情報とは、免許不要周波数帯域に搬送される
ことを特徴とする請求項１８に記載の無線通信方法。
【請求項２０】
前記毎回の上りデータは、単一の伝送ブロックＴＢ、又は、単一の符号化ブロックグループＣＢＧ、又は、マルチストリームに対応する複数のＴＢ又はＣＢＧ、又は、単一の時間領域位置に対応する複数のＴＢ又はＣＢＧを含む
ことを特徴とする請求項１８又は１９に記載の無線通信方法。
【請求項２１】
前記方法は、さらに、
前記少なくとも１回の上りデータの総回数に基づいて、前記少なくとも１回の上りデータの受信が完了するかどうかを決定することを含む
ことを特徴とする請求項１８〜２０のいずれか１項に記載の無線通信方法。
【請求項２２】
前記方法は、
前記少なくとも１回の上りデータの総回数又は現在送信された上りデータの回数、及び現在受信された上りデータの番号に基づいて、損失された上りデータを決定することを含む
ことを特徴とする請求項１８〜２１のいずれか１項に記載の無線通信方法。
【請求項２３】
前記ネットワークデバイスが前記端末デバイスに前記上りデータのフィードバック情報を送信することは、
前記毎回の上りデータの番号に基づいて、前記毎回の上りデータのフィードバック情報を送信することを含む
ことを特徴とする請求項１８〜２２のいずれか１項に記載の無線通信方法。
【請求項２４】
前記毎回の上りデータの番号に基づいて、前記毎回の上りデータのフィードバック情報を送信することは、
前記毎回の上りデータの番号に基づいて、前記毎回の上りデータのフィードバック情報がフィードバックメッセージで占用するビット位置を決定し、前記フィードバックメッセージが前記少なくとも１回の上りデータにおけるフィードバック情報を含むことと、
前記ビット位置で前記毎回の上りデータのフィードバック情報を搬送することと、
前記フィードバックメッセージを送信することとを含む
ことを特徴とする請求項２３に記載の無線通信方法。
【請求項２５】
前記ネットワークデバイスが前記端末デバイスに前記上りデータのフィードバック情報を送信することは、
前記少なくとも１回の上りデータの総回数又はフィードバックメッセージの予め設定された長さに基づいて、フィードバックメッセージを送信するリソースを決定し、前記フィードバックメッセージが前記少なくとも１回の上りデータにおけるフィードバック情報を含むことと、
決定された前記リソースにおいて、前記フィードバックメッセージを送信することとを含む
ことを特徴とする請求項１８〜２４のいずれか１項に記載の無線通信方法。
【請求項２６】
前記フィードバックメッセージが予め設定された長さを有する場合、前記上りデータのフィードバック情報が前記フィードバックメッセージの予め設定された位置に位置し、他の位置がプレースホルダ信号を充填するために使用される
ことを特徴とする請求項２３〜２５のいずれか１項に記載の無線通信方法。
【請求項２７】
前記毎回の上りデータの番号に基づいて、前記毎回の上りデータのフィードバック情報を送信することは、
前記毎回の上りデータの番号に基づいて、前記毎回の上りデータのフィードバック情報が占用するコード領域リソースを決定することと、
決定された前記コード領域リソースにおいて、前記毎回の上りデータのフィードバック情報を送信することとを含む
ことを特徴とする請求項１８に記載の無線通信方法。
【請求項２８】
前記方法は、さらに、
前記ネットワークデバイスが前記端末デバイスに第１の情報を送信することを含み、前記第１の情報が前記ネットワークデバイスの前記上りデータに対するフィードバックモードを示し、前記フィードバックモードが実際に伝送される上りデータに基づいて前記上りデータのフィードバックメッセージが占用するリソース及び／又はフィードバックメッセージのビット構成を決定することを指示する
ことを特徴とする請求項１８〜２７のいずれか１項に記載の無線通信方法。
【請求項２９】
前記第１の情報は、ＲＲＣシグナリング又はＭＡＣシグナリングに搬送される
ことを特徴とする請求項２８に記載の無線通信方法。
【請求項３０】
前記方法は、さらに、
前記端末デバイスが送信可能な上りデータの回数の最大値に基づいて、
前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定することを含む
ことを特徴とする請求項１８〜２９のいずれか１項に記載の無線通信方法。
【請求項３１】
前記方法は、さらに、
前記ネットワークデバイスが前記端末デバイスに第２の情報を送信することを含み、前記第２の情報が前記端末デバイスが送信可能な上りデータの回数の最大値を示す
ことを特徴とする請求項３０に記載の無線通信方法。
【請求項３２】
前記少なくとも１回の上りデータが時間領域に少なくとも１つの位置を占用する
ことを特徴とする請求項１８〜３１のいずれか１項に記載の無線通信方法。
【請求項３３】
同一の時間領域位置で複数の周波数領域位置を占用して上りデータを複数回送信する
ことを特徴とする請求項３２に記載の無線通信方法。
【請求項３４】
前記複数の周波数領域位置は、それぞれ異なる帯域幅部分ＢＷＰ又は異なるサブバンドに属する
ことを特徴とする請求項３３に記載の無線通信方法。
【請求項３５】
前記上りデータと前記伝送情報とは、物理上り共有チャネルＰＵＳＣＨに搬送される
ことを特徴とする請求項１８〜３４のいずれか１項に記載の無線通信方法。
【請求項３６】
通信ユニットと処理ユニットとを含む端末デバイスであって、
前記通信ユニットは、上りデータを少なくとも１回送信し、前記少なくとも１回の上りデータの毎回の上りデータに対して前記毎回の上りデータの伝送情報を送信するように構成され、
前記毎回の上りデータの伝送情報は、前記毎回の上りデータの番号、前記少なくとも１回の上りデータの総回数、前記少なくとも１回の上りデータのうちの現在送信された上りデータの回数のうちの少なくとも１つを含む
ことを特徴とする端末デバイス。
【請求項３７】
前記通信ユニットは、さらに、
免許不要周波数帯域においてチャネルリスニングを行い、
チャネルリスニングが成功した場合、前記免許不要周波数帯域において前記少なくとも１回の上りデータを送信するように構成される
ことを特徴とする請求項３６に記載の端末デバイス。
【請求項３８】
前記毎回の上りデータは、単一の伝送ブロックＴＢ、又は、単一の符号化ブロックユニットＣＢＧ、又は、マルチストリームに対応する複数のＴＢ又はＣＢＧ、又は、単一の時間領域位置に対応する複数のＴＢ又はＣＢＧを含む
ことを特徴とする請求項３６又は３７に記載の端末デバイス。
【請求項３９】
前記通信ユニットは、さらに、
ネットワークデバイスが前記上りデータに対して送信するフィードバック情報を取得するように構成される
ことを特徴とする請求項３６〜３８のいずれか１項に記載の端末デバイス。
【請求項４０】
前記通信ユニットは、さらに、
前記毎回の上りデータの番号に基づいて、前記毎回の上りデータのフィードバック情報を取得するように構成される
ことを特徴とする請求項３９に記載の端末デバイス。
【請求項４１】
処理ユニットをさらに含み、  
前記処理ユニットは、前記毎回の上りデータの番号に基づいて、受信されたフィードバックメッセージから前記毎回の上りデータのフィードバック情報が前記フィードバックメッセージで占用するビット位置を決定するように構成され、前記フィードバックメッセージが前記少なくとも１回の上りデータのうちの全部又は一部の上りデータのフィードバック情報を含み、
前記通信ユニットは、さらに、前記ビット位置に基づいて、前記フィードバックメッセージから前記毎回の上りデータのフィードバック情報を取得するように構成される
ことを特徴とする請求項４０に記載の端末デバイス。
【請求項４２】
処理ユニットをさらに含み、  
前記処理ユニットは、前記少なくとも１回の上りデータの総回数又はフィードバックメッセージの予め設定された長さに基づいて、フィードバックメッセージを受信するリソースを決定するように構成され、前記フィードバックメッセージが前記少なくとも１回の上りデータのうちの全部又は一部の上りデータのフィードバック情報を含み、
前記通信ユニットは、さらに、決定された前記リソースにおいて、前記フィードバックメッセージを受信するように構成される
ことを特徴とする請求項３９〜４１のいずれか１項に記載の端末デバイス。
【請求項４３】
前記フィードバックメッセージが予め設定された長さを有する場合、前記上りデータのフィードバック情報が前記フィードバックメッセージの予め設定された位置に位置し、他の位置がプレースホルダ信号を充填するために使用される
ことを特徴とする請求項４０〜４２のいずれか１項に記載の端末デバイス。
【請求項４４】
処理ユニットをさらに含み、  
前記処理ユニットは、前記毎回の上りデータの番号に基づいて、前記毎回の上りデータのフィードバック情報が占用するコード領域リソースを決定するように構成され、
前記通信ユニットは、さらに、前記毎回の上りデータのフィードバック情報的コード領域リソースに基づいて、前記毎回の上りデータのフィードバック情報を取得するように構成される
ことを特徴とする請求項４０に記載の端末デバイス。
【請求項４５】
前記通信ユニットは、さらに、
ネットワークデバイスにより送信された第１の情報を受信するように構成され、前記第１の情報が前記ネットワークデバイスの前記上りデータに対するフィードバックモードを示し、前記フィードバックモードが実際に伝送される上りデータに基づいて前記上りデータのフィードバックメッセージが占用するリソース及び／又はフィードバックメッセージのビット構成を決定することを指示する
ことを特徴とする請求項３６〜４４のいずれか１項に記載の端末デバイス。
【請求項４６】
前記第１の情報は、無線リソース制御ＲＲＣシグナリング又は媒体アクセス制御ＭＡＣシグナリングに搬送される
ことを特徴とする請求項４５に記載の端末デバイス。
【請求項４７】
処理ユニットをさらに含み、
前記処理ユニットは、前記端末デバイスが送信可能な上りデータの回数の最大値に基づいて、
前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定するように構成される
ことを特徴とする請求項３６〜４６のいずれか１項に記載の端末デバイス。
【請求項４８】
前記通信ユニットは、さらに、
ネットワークデバイスにより送信された第２の情報を受信するように構成され、前記第２の情報が前記端末デバイスが送信可能な上りデータの回数の最大値を示す
ことを特徴とする請求項４７に記載の端末デバイス。
【請求項４９】
前記少なくとも１回の上りデータが時間領域に少なくとも１つの位置を占用する
ことを特徴とする請求項３６〜４８のいずれか１項に記載の端末デバイス。
【請求項５０】
同一の時間領域位置で複数の周波数領域位置を占用して上りデータを複数回送信する
ことを特徴とする請求項４９に記載の端末デバイス。
【請求項５１】
前記複数の周波数領域位置は、それぞれ異なる帯域幅部分ＢＷＰ又は異なるサブバンドに属する
ことを特徴とする請求項５０に記載の端末デバイス。
【請求項５２】
前記上りデータと前記伝送情報とは、物理上り共有チャネルＰＵＳＣＨに搬送される
ことを特徴とする請求項３６〜５１のいずれか１項に記載の端末デバイス。
【請求項５３】
通信ユニットを含むネットワークデバイスであって、
前記通信ユニットは、端末デバイスにより少なくとも１回送信された上りデータ、及び前記少なくとも１回の上りデータの毎回の上りデータに対して前記端末デバイスにより送信された前記毎回の上りデータの伝送情報を受信し、
前記上りデータの伝送情報に基づいて、前記端末デバイスに前記上りデータのフィードバック情報を送信するように構成され、
前記毎回の上りデータの伝送情報は、前記毎回の上りデータの番号、前記少なくとも１回の上りデータの総回数、現在送信された上りデータの回数のうちの少なくとも１つを含む
ことを特徴とするネットワークデバイス。
【請求項５４】
前記少なくとも１回の上りデータと前記伝送情報とは、免許不要周波数帯域に搬送される
ことを特徴とする請求項５３に記載のネットワークデバイス。
【請求項５５】
前記毎回の上りデータは、単一のＴＢ、又は、単一のＣＢＧ、又は、マルチストリームに対応する複数のＴＢ又はＣＢＧ、又は、単一の時間領域位置に対応する複数のＴＢ又はＣＢＧを含む
ことを特徴とする請求項５３又は５４に記載のネットワークデバイス。
【請求項５６】
処理ユニットをさらに含み、
前記処理ユニットは、前記少なくとも１回の上りデータの総回数に基づいて、前記少なくとも１回の上りデータの受信が完了するかどうかを決定するように構成される
ことを特徴とする請求項５３〜５５のいずれか１項に記載のネットワークデバイス。
【請求項５７】
処理ユニットをさらに含み、
前記処理ユニットは、前記少なくとも１回の上りデータの総回数又は現在送信された上りデータの回数、及び現在受信された上りデータの番号に基づいて、損失された上りデータを決定するように構成される
ことを特徴とする請求項５３〜５６のいずれか１項に記載のネットワークデバイス。
【請求項５８】
前記通信ユニットは、さらに、
前記毎回の上りデータの番号に基づいて、前記毎回の上りデータのフィードバック情報を送信するように構成される
ことを特徴とする請求項５３〜５７のいずれか１項に記載のネットワークデバイス。
【請求項５９】
処理ユニットをさらに含み、
前記処理ユニットは、前記毎回の上りデータの番号に基づいて、前記毎回の上りデータのフィードバック情報がフィードバックメッセージで占用するビット位置を決定し、前記フィードバックメッセージが前記少なくとも１回の上りデータにおけるフィードバック情報を含み、前記ビット位置で前記毎回の上りデータのフィードバック情報を搬送するように構成され、
前記通信ユニットは、さらに、前記フィードバックメッセージを送信するように構成される
ことを特徴とする請求項５８に記載のネットワークデバイス。
【請求項６０】
処理ユニットをさらに含み、
前記処理ユニットは、前記少なくとも１回の上りデータの総回数又はフィードバックメッセージの予め設定された長さに基づいて、フィードバックメッセージを送信するリソースを決定するように構成され、前記フィードバックメッセージが前記少なくとも１回の上りデータにおけるフィードバック情報を含み、
前記通信ユニットは、さらに、決定された前記リソースにおいて、前記フィードバックメッセージを送信するように構成される
ことを特徴とする請求項５３〜５９のいずれか１項に記載のネットワークデバイス。
【請求項６１】
前記フィードバックメッセージが予め設定された長さを有する場合、前記上りデータのフィードバック情報が前記フィードバックメッセージの予め設定された位置に位置し、他の位置がプレースホルダ信号を充填するために使用される
ことを特徴とする請求項５８〜６０のいずれか１項に記載のネットワークデバイス。
【請求項６２】
処理ユニットをさらに含み、
前記処理ユニットは、前記毎回の上りデータの番号に基づいて、前記毎回の上りデータのフィードバック情報が占用するコード領域リソースを決定し、
前記通信ユニットは、さらに、決定された前記コード領域リソースにおいて、前記毎回の上りデータのフィードバック情報を送信するように構成される
ことを特徴とする請求項５３に記載のネットワークデバイス。
【請求項６３】
前記通信ユニットは、さらに、
前記端末デバイスに第１の情報を送信するように構成され、前記第１の情報が前記ネットワークデバイスの前記上りデータに対するフィードバックモードを示し、前記フィードバックモードが実際に伝送される上りデータに基づいて前記上りデータのフィードバックメッセージが占用するリソース及び／又はフィードバックメッセージのビット構成を決定することを指示する
ことを特徴とする請求項５３〜６２のいずれか１項に記載のネットワークデバイス。
【請求項６４】
前記第１の情報は、ＲＲＣシグナリング又はＭＡＣシグナリングに搬送される
ことを特徴とする請求項６３に記載のネットワークデバイス。
【請求項６５】
処理ユニットをさらに含み、
前記処理ユニットは、前記端末デバイスが送信可能な上りデータの回数の最大値に基づいて、
前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定するように構成される
ことを特徴とする請求項５３〜６４のいずれか１項に記載のネットワークデバイス。
【請求項６６】
前記通信ユニットは、さらに、
前記端末デバイスに第２の情報を送信するように構成され、前記第２の情報が前記端末デバイスが送信可能な上りデータの回数の最大値を示す
ことを特徴とする請求項６５に記載のネットワークデバイス。
【請求項６７】
前記少なくとも１回の上りデータが時間領域に少なくとも１つの位置を占用する
ことを特徴とする請求項５３〜６６のいずれか１項に記載のネットワークデバイス。
【請求項６８】
同一の時間領域位置で複数の周波数領域位置を占用して上りデータを複数回送信する
ことを特徴とする請求項６７に記載のネットワークデバイス。
【請求項６９】
前記複数の周波数領域位置は、それぞれ異なる帯域幅部分ＢＷＰ又は異なるサブバンドに属する
ことを特徴とする請求項６８に記載のネットワークデバイス。
【請求項７０】
前記上りデータと前記伝送情報とは、物理上り共有チャネルＰＵＳＣＨに搬送される
ことを特徴とする請求項５３〜６９のいずれか１項に記載のネットワークデバイス。
【請求項７１】
コンピュータプログラムを記憶するメモリと、前記メモリに記憶されたコンピュータプログラムを呼び出して実行し、請求項１〜１７のいずれか１項に記載の方法を実行するプロセッサとを備える
ことを特徴とする端末デバイス。
【請求項７２】
コンピュータプログラムを記憶するメモリと、前記メモリに記憶されたコンピュータプログラムを呼び出して実行し、請求項１８〜３５のいずれか１項に記載の方法を実行するプロセッサとを備える
ことを特徴とするネットワークデバイス。
【請求項７３】
コンピュータプログラムをメモリから呼び出して、チップが搭載されるデバイスに請求項１〜１７のいずれか１項に記載の方法を実行させるプロセッサを備える
ことを特徴とするチップ。
【請求項７４】
コンピュータプログラムをメモリから呼び出して、チップが搭載されるデバイスに請求項１８〜３５のいずれか１項に記載の方法を実行させるプロセッサを備える
ことを特徴とするチップ。
【請求項７５】
コンピュータに請求項１〜１７のいずれか１項に記載の方法を実行させるコンピュータプログラムを記憶する
ことを特徴とするコンピュータ可読記憶媒体。
【請求項７６】
コンピュータに請求項１８〜３５のいずれか１項に記載の方法を実行させるコンピュータプログラムを記憶する
ことを特徴とするコンピュータ可読記憶媒体。
【請求項７７】
コンピュータに請求項１〜１７のいずれか１項に記載の方法を実行させるコンピュータプログラム命令を有する
ことを特徴とするコンピュータプログラム製品。
【請求項７８】
コンピュータに請求項１８〜３５のいずれか１項に記載の方法を実行させるコンピュータプログラム命令を有する
ことを特徴とするコンピュータプログラム製品。
【請求項７９】
コンピュータに、請求項１〜１７のいずれか１項に記載の方法を実行させる
ことを特徴とするコンピュータプログラム。
【請求項８０】
コンピュータに、請求項１８〜３５のいずれか１項に記載の方法を実行させる
ことを特徴とするコンピュータプログラム。
【発明の詳細な説明】
【技術分野】
【０００１】
本願の実施例は、通信技術分野に関し、具体的に、無線通信方法及び通信デバイスに関する。
【背景技術】
【０００２】
ＬＴＥ（Ｌｏｎｇ ｔｅｒｍ Ｅｖｏｌｕｔｉｏｎ）システムでは、ネットワークデバイスは端末デバイスに上りデータのスケジューリングを行い、端末デバイスはネットワークデバイスに上りデータを送信し、ネットワークデバイスはこの上りデータの受信に成功したか否かに基づいて、フィードバック情報を端末デバイスに送信することができる。
【０００３】
ＮＲ（ Ｎｅｗ Ｒａｄｉｏ )はシステム性能に対する要求が高い。
【０００４】
ＮＲのフィードバックに関する通信性能を向上させることは、解決すべき課題である。
【発明の概要】
【０００５】
本願の実施例は、上りデータのフィードバックに関する通信性能を向上させることができる無線通信方法およびデバイスを提供する。
【０００６】
第１の態様は、無線通信方法を提供し、端末デバイスが上りデータを少なくとも１回送信し、前記少なくとも１回の上りデータの毎回の上りデータに対して前記毎回の上りデータの伝送情報を送信することを含み、前記毎回の上りデータの伝送情報は、前記毎回の上りデータの番号、前記少なくとも１回の上りデータの総回数、前記少なくとも１回の上りデータのうちの現在送信された上りデータの回数のうちの少なくとも１つを含む。
【０００７】
第２の態様は、無線通信方法を提供し、ネットワークデバイスが、端末デバイスにより少なくとも１回送信された上りデータ、及び前記少なくとも１回の上りデータの毎回の上りデータに対して端末デバイスにより送信された前記毎回の上りデータの伝送情報を受信することと、前記上りデータの伝送情報に基づいて、前記ネットワークデバイスが前記端末デバイスに前記上りデータのフィードバック情報を送信することとを含み、前記毎回の上りデータの伝送情報は、前記毎回の上りデータの番号、前記少なくとも１回の上りデータの総回数、現在送信された上りデータの回数のうちの少なくとも１つを含む。
【０００８】
第３の態様、上記の第１の態様の方法を実行するための端末デバイスを提供する。
【０００９】
具体的には、この端末デバイスは、上記第１の態様の方法を実行するための機能モジュールを備える。
【００１０】
第４の態様、上記の第２の態様の方法を実行するためのネットワークデバイスを提供する。
【００１１】
具体的には、このネットワークデバイスは、上記第２の態様の方法を実行するための機能モジュールを備える。
【００１２】
第５の態様は、プロセッサとメモリとを備える端末デバイスを提供する。このメモリは、コンピュータプログラムを記憶するように構成され、このプロセッサは、このメモリに記憶されたコンピュータプログラムを呼び出して実行し、上記第１の態様による方法を実行するように構成される。
【００１３】
第６の態様は、プロセッサとメモリとを備えるネットワークデバイスを提供する。このメモリは、コンピュータプログラムを記憶するように構成され、このプロセッサは、このメモリに記憶されたコンピュータプログラムを呼び出して実行し、上記第２の態様による方法を実行するように構成される。
【００１４】
第７の態様は、上述の第１の態様又は第２の態様における方法を実行するためのチップを提供する。
【００１５】
具体的には、コンピュータプログラムをメモリから呼び出して実行し、チップが実装されたデバイスに、第１の態様または第２の態様による方法を実行させるプロセッサを含む。
【００１６】
第８の態様は、コンピュータに、第１の態様又は第２の態様による方法を実行させるコンピュータプログラムを記憶するコンピュータ可読記憶媒体を提供する。
【００１７】
第９の態様は、コンピュータに、上述の第１の態様または第２の態様における方法を実行させるコンピュータプログラム命令を含む、コンピュータプログラム製品を提供する。
【００１８】
第１０の態様は、コンピュータ上で実行されると、コンピュータに、第１の態様又は第２の態様における上述の方法を実行させるコンピュータプログラムを提供する。
【００１９】
したがって、本願の実施例において、端末デバイスは、上りデータを送信する際に、毎回の上りデータの番号、上りデータの総回数、及び現在送信された上りデータの回数のうち少なくとも１つを送信することにより、より優れたフィードバック情報のフィードバックを実現することができ、通信性能を向上させることができる。
【図面の簡単な説明】
【００２０】
【図１】本願の実施例における通信システムのアーキテクチャの概略図である。
【図２】本願の実施例における無線通信方法の模式図である。
【図３】本願の実施例における無線通信方法の模式図である。
【図４】本願の実施例における上りデータの伝送情報の送信方式の模式図である。
【図５】本願の実施例における上りデータの伝送情報の送信方式の模式図である。
【図６】本願の実施例における上り（Ｕｐｌｉｎｋ、ＵＬ）伝送と下り（Ｄｏｗｎｌｉｎｋ、ＤＬ）フィードバックの間の模式図である。
【図７】本願の実施例における上り伝送と下りフィードバックの間の模式図である。
【図８】本願の実施例における上り伝送と下りフィードバックの間の模式図である。
【図９】本願の実施例における上り伝送と下りフィードバックの間の模式図である。
【図１０】本願の実施例における上り伝送と下りフィードバックの間の模式図である。
【図１１】本願の実施例における端末デバイスのブロック図である。
【図１２】本願の実施例におけるネットワークデバイスのブロック図である。
【図１３】本願の実施例における通信デバイスのブロック図である。
【図１４】本願の実施例におけるチップのブロック図である。
【図１５】本願の実施例におけるの通信システムのブロック図である。
【発明を実施するための形態】
【００２１】
以下、本願の実施例における技術案を、本願の実施例における図面を参照して説明するが、明らかに、記述された実施例は本願の一部の実施例であり、全ての実施例ではない。本願における実施例に基づいて、発明的な労働をすることなく当業者によって得られる他のすべての実施例は、本願の保護範囲に属する。
【００２２】
本願の実施例に係る技術方案は、様々な通信システム、例えば、ＧＳＭ （Ｇｌｏｂａｌ Ｓｙｓｔｅｍ ｏｆ Ｍｏｂｉｌｅ ｃｏｍｍｕｎｉｃａｔｉｏｎ)システム、ＣＤＭＡ （ Ｃｏｄｅ Ｄｉｖｉｓｉｏｎ Ｍｕｌｔｉｐｌｅ Ａｃｃｅｓｓ )システム、ＷＣＤＭＡ （Ｗｉｄｅｂａｎｄ Ｃｏｄｅ Ｄｉｖｉｓｉｏｎ Ｍｕｌｔｉｐｌｅ Ａｃｃｅｓｓ)システム、ＧＰＲＳ （ Ｇｅｎｅｒａｌ Ｐａｃｋｅｔ Ｒａｄｉｏ Ｓｅｒｖｉｃｅ )、ＬＴＥ （ Ｌｏｎｇ ｔｅｒｍ Ｅｖｏｌｕｔｉｏｎ )システム、ＬＴＥ  ＦＤＤ （ Ｆｒｅｑｕｅｎｃｙ Ｄｉｖｉｓｉｏｎ Ｄｕｐｌｅｘ )システム、ＬＴＥ  ＴＤＤ （ Ｔｉｍｅ Ｄｉｖｉｓｉｏｎ Ｄｕｐｌｅｘ )システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ )、ＷｉＭＡＸ （ Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ )通信システム又は５Ｇシステムに適用されることができる。
【００２３】
例示的に、本願の実施例が適用される通信システム１００を図１に示す。通信システム１００は、端末デバイス１２０(または通信端末、端末と呼ばれる)と通信するデバイスであり得るネットワークデバイス１１０を含み得る。ネットワークデバイス１１０は、特定の地理的エリアに通信カバレージを提供し得、カバレージエリア内に位置付けられた端末デバイスと通信し得る。任意選択で、このネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )であってもよいし、ＷＣＤＭＡシステムにおける基地局( ＮｏｄｅＢ、ＮＢ )であってもよいし、LTEシステムにおける進化型基地局( Ｅｖｏｌｕｔｉｏｎａｌ Ｎｏｄｅ Ｂ、ｅＮＢ又はｅＮｏｄｅＢ )であってもよいし、クラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよいし、移動交換局、中継局、アクセスポイント、車載機器、ウェアラブル機器、集線装置、交換機、ブリッジ、ルータ、５Ｇネットワークにおけるネットワーク側機器または将来進化してくるＰｕｂｌｉｃ Ｌａｎｄ Ｍｏｂｉｌｅ Ｎｅｔｗｏｒｋ、ＰＬＭＮにおけるネットワークデバイス等であってもよい。
【００２４】
この通信システム１００は、ネットワークデバイス１１０のカバレージ内に位置する少なくとも１つの端末デバイス１２０をさらに含む。ここで、「端末デバイス」とは、公衆回線交換網ＰＳＴＮ（Ｐｕｂｌｉｃ Ｓｗｉｔｃｈｅｄ Ｔｅｌｅｐｈｏｎｅ Ｎｅｔｗｏｒｋｓ）、ＤＳＬ（Ｄｉｇｉｔal Ｓｕｂｓｃｒｉｂｅｒ Ｌｉｎｅ）、デジタル回線、直接ケーブルなどの有線回線接続；および/または別のデータ接続/ネットワーク、および/または、例えばセルラネットワーク、無線ローカルエリアネットワークＷＬＡＮ（Ｗｉｒｅｌｅｓｓ Ｌｏｃａｌ Ａｒｅａ Ｎｅｔｗｏｒｋ）、例えばＤＶＢ−Ｈネットワークのようなディジタルテレビネットワーク、衛星ネットワーク、ＡＭ−ＦＭ放送送信機のための無線インターフェースを介し、及び/又は別の端末デバイスの通信信号を受信/送信するように構成された手段、および/またはＩｏＴ（Ｉｎｔｅｒｎｅｔ ｏｆ Ｔｈｉｎｇｓ）デバイスを含む。無線インターフェースを介して通信するように構成された端末デバイスは、「無線通信端末」、「無線端末」、または「モバイル端末」と呼ばれ得る。移動端末の例としては、衛星又は携帯電話、データ処理、ファックス、およびデータ通信能力と組み合わせたセルラー無線電話を有するパーソナル通信システム( ＰＣＳ )端末、無線電話、ページャ、インターネット/イントラネット接続、Ｗｅｂブラウザ、メモ帳、カレンダ、及び/又はGPS受信機を含むことができるＰＤＡ、および従来のラップトップおよび/またはパームトップ受信機または無線電話送受信機を含む他の電子デバイスが挙げられる。端末デバイスは、アクセス端末、ＵＥ、加入者ユニット、加入者局、移動局、遠隔端末、モバイルデバイス、加入者端末、ワイヤレス通信デバイス、ユーザエージェント、またはユーザ機器を指し得る。アクセス端末は、セルラー電話、コードレス電話、ＳＩＰ （ Ｓｅｓｓｉｏｎ Ｉｎｉｔｉａｔｉｏｎ Ｐｒｏｔｏｃｏｌ )電話、ＷＬＬ （ Ｗｉｒｅｌｅｓｓ Ｌｏｃａｌ Ｌｏｏｐ )局、ＰＤＡ （ Ｐｅｒｓｏｎａｌ Ｄｉｇｉｔａｌ Ａｓｓｉｓｔａｎｔ )、無線通信機能を有するハンドヘルド装置、ワイヤレスモデムに接続されたコンピューティング装置または他の処理装置、車載装置、ウェアラブル装置、５Ｇネットワーク内の端末デバイス、または将来進化してくるＰＬＭＮ内の端末デバイスなどであり得る。
【００２５】
任意選択で、端末デバイス１２０間でＤｅｖｉｃｅ ｔｏ Ｄｅｖｉｃｅ （ Ｄ2Ｄ )通信が行われ得る。
【００２６】
任意選択で、５Ｇシステム又は５Ｇネットワークは、Ｎｅｗ Ｒａｄｉｏ ( ＮＲ )システム又はＮＲネットワークとも称され得る。
【００２７】
図１は、１つのネットワークデバイスと２つの端末デバイスとを例示的に示し、任意選択的に、通信システム１００は、複数のネットワークデバイスを含んでもよく、各ネットワークデバイスのカバレッジ内に他の数の端末デバイスを含んでもよく、本願の実施例は、これに限定されない。
【００２８】
任意選択で、通信システム１００は、ネットワークコントローラ、移動管理エンティティ等の他のネットワークエンティティをさらに含んでもよく、本願の実施例は、これに限定されない。
【００２９】
本願の実施例におけるネットワーク/システムにおける通信機能を有する装置は、通信デバイスと称されることもあることを理解されたい。図１に示す通信システム１００を例にとると、通信デバイスは、通信機能を有するネットワークデバイス１１０と端末デバイス１２０を含み、ネットワークデバイス１１０と端末デバイス１２０は、上述した具体的な装置であってもよく、ここでその説明が省略され、通信デバイスは、通信システム１００における他の装置、例えばネットワークコントローラ、移動管理エンティティ等の他のネットワークエンティティをさらに含んでもよく、本願の実施例ではこれに限定されない。
【００３０】
本明細書において、用語「システム」及び「ネットワーク」は、しばしば、交換可能に使用されることが理解される。ここで言う「及び/又は」とは、単に関連対象を説明する関連関係のことであり、Ａ及び/又はＢのように３つの関係があり、Ａ単独の場合、ＡとＢの両方の場合、Ｂ単独の場合の３つの場合があることを意味する。また、本文中の「/」は、前後関係オブジェクトが「または」の関係であることを一般的に示す。
【００３１】
本願の実施例は、免許不要スペクトル通信プロセスにおいて使用され得る。特に、免許不要スペクトルは、国および地域によって分けられた無線デバイスの通信に使用可能なスペクトルであり、このスペクトルは、共有スペクトルと見なされ、すなわち、異なる通信システム内の通信デバイスが、このスペクトル上で国または地域によって設定された法規制要件を満たす場合に、このスペクトルを使用し得、政府に独自のスペクトル免許を申請しなくてもよい。免許不要スペクトルを使用して無線通信を行う様々な通信システムが、そのスペクトル上で快適に共存することができるようにするために、いくつかの国または地域は、免許不要スペクトルを使用して満たさなければならない法規制要件を指定する。例えば、いくつかの地域において、通信デバイスは、ＬＢＴ（Ｌｉｓｔｅｎ  Ｂｏｆｏｅｒ  Ｔａｌｋ）原理に従い、即ち、通信デバイスは、免許不要スペクトルのチャネル上で信号送信を行う前に、チャネルをリッスンする必要があり、チャネルリスニング結果がアイドルである場合にのみ、通信デバイスは信号送信を行うことができ、通信デバイスは、免許不要スペクトルのチャネル上でのチャネルリスニング結果がチャネルビジーである場合、信号送信できない。また、例えば、公平性を保証するために、通信デバイスが免許不要スペクトルを使用するチャネルを用いて信号を送信する期間は、１回の伝送において最大チャネル占有時間( Ｍａｘｉｍｕｍ Ｃｈａｎｎｅｌ Ｏｃｃｕｐａｔｉｏｎ Ｔｉｍｅ、ＭＣＯＴ )を超えることができない。また、例えば、免許不要スペクトルチャネル上で伝送される信号に対するサブバンド干渉を回避するために、また、免許不要スペクトルチャネルを検出する際の通信デバイスの検出精度を改善するために、免許不要スペクトルチャネル上で伝送される信号の帯域幅は、少なくともチャネル帯域幅の一定の割合を占める必要がある。また、例えば、免許不要スペクトルのチャネル上で伝送される信号の電力が大きすぎて、そのチャネル上の他の重要な信号、例えばレーダー信号などの伝送に影響を与えることを避けるために、通信デバイスは、免許不要スペクトルのチャネルを使用して信号を伝送するときに、最大電力スペクトル密度を超えない制限に従う必要がある。
【００３２】
ネットワークデバイスは、免許不要スペクトル上で、端末デバイスのために周期的な上りリソースを事前に半静的に構成し、動的シグナリングを使用して半静的に構成された上りリソースをアクティブ化および非アクティブ化し得る。半静的に構成された上りリソースが活性化されている間、端末デバイスは、上りデータ伝送要求があると、上りリソース上でＰＵＳＣＨ送信を自律的に行うことができる。ネットワークデバイスは、このＰＵＳＣＨ伝送を受信すると、そのＰＵＳＣＨに対するＨＡＲＱ（Ｈｙｂｒｉｄ Ａｕｔｏｍａｔｉｃ Ｒｅｐｅａｔ ｒｅＱｕｅｓｔ）フィードバックを行い得る。
【００３３】
ここで、免許不要スペクトルにおいて、端末デバイスが周期的な上りリソースにおいて上り伝送を行い、端末デバイスがまずチャネルリスニングを行い、チャネルリスニングが成功した場合、前記端末デバイスが前記免許不要周波数帯域において上りデータを前記少なくとも１回送信する。
【００３４】
なお、端末デバイスが非免許スペクトルにおいてリスニングするリソースは、周期的な上りリソースでなくてもよく、例えば、端末デバイスはネットワークデバイスのスケジューリングを受信してから、チャネルリスニングを行う。
【００３５】
なお、本願の実施例は非免許スペクトルに応用されてもよい。
【００３６】
図２は本願の実施例における無線通信方法２００のフローチャートである。この方法は、以下の少なくとも一部の内容を含む。
【００３７】
２１０において、端末デバイスが上りデータを少なくとも１回送信し、前記少なくとも１回の上りデータの毎回の上りデータに対して前記毎回の上りデータの伝送情報を送信し、前記毎回の上りデータの伝送情報は、
前記毎回の上りデータの番号、前記少なくとも１回の上りデータの総回数、前記少なくとも１回の上りデータのうちの現在送信された上りデータの回数のうちの少なくとも１つを含む。
【００３８】
さらに、端末デバイスは、少なくとも１回の上りデータと、上りデータの伝送情報を送信した後に、該上りデータに対するネットワークデバイスからのフィードバック情報を受信し、例えば、上りデータの番号及び/又は上りデータの総回数に応じてフィードバック情報の取得を行い、これにより、端末デバイスは、該上りデータのフィードバック情報に基づいて、上りデータの再送を行うか否かの決定等の後続の動作を行うことができる。
【００３９】
図３は本願の実施例における無線通信方法３００のフローチャートである。この方法３００は、以下の少なくとも一部の内容を含む。
【００４０】
３１０において、ネットワークデバイスが、端末デバイスにより少なくとも１回送信された上りデータ、及び前記少なくとも１回の上りデータの毎回の上りデータに対して端末デバイスにより送信された前記毎回の上りデータの伝送情報を受信し、前記毎回の上りデータの伝送情報は、
前記毎回の上りデータの番号、前記少なくとも１回の上りデータの総回数、現在送信された上りデータの回数のうちの少なくとも１つを含み、
３２０において、前記上りデータの伝送情報に基づいて、前記ネットワークデバイスが前記端末デバイスに前記上りデータのフィードバック情報を送信する。
【００４１】
本願の実施例において、端末デバイスは、免許不要周波数帯域においてチャネルリスニングを行い、チャネルリスニングが成功した場合、上りデータ及び上りデータの伝送情報を少なくとも１回送信することができる。
【００４２】
ネットワークデバイスは、免許不要周波数帯域で端末デバイスによって送信された上りデータを検出し、上りデータの検出後、フィードバック情報を端末デバイスに送信し得る。ここで、ネットワークデバイスは、フィードバック情報を送信する際に、上りデータを受信する１つの時間ウィンドウ内でチャネルリスニングを行ってもよく、チャネルリスニングが成功した場合には、時間ウィンドウ内でフィードバック情報の送信を行ってもよく、該時間ウィンドウ内でチャネルリスニングが不成功であれば、フィードバック情報を送信しなくてもよい。
【００４３】
端末デバイスは、上りデータを送信した後、１つの時間ウィンドウ内でフィードバック情報の検出を行い、時間ウィンドウ内でフィードバック情報が検出されない場合には、フィードバック情報の検出を行わず、その後に上りデータの再送を行うことができる。
【００４４】
なお、上記で説明した端末デバイス及びネットワークデバイスの動作は、本願の実施例の１つの具体的な実現例にすぎず、本願の実施例は他の実現例も可能である
例えば、ネットワークデバイスは、時間ウィンドウに限定されずに、常にチャネルリスニングすることができる。又は、ネットワークデバイスは、免許周波数帯域を介してフィードバック情報を送信してもよい。又は、上りリソースが占有され、特定の下りリソースがフィードバック情報等の送信用に予約されてもよい。
【００４５】
又は、端末デバイスがフィードバック情報と上りデータとのタイミング関係を示すタイミング情報をネットワークデバイスに送信し、この場合、ネットワークデバイスが該タイミング情報に基づいてフィードバック情報の送信を行い、端末デバイスが該タイミング関係に基づいてフィードバック情報の受信を行ってもよい。又は、ネットワークデバイスは、フィードバック情報と上りデータとのタイミング関係を示すタイミング情報を端末デバイスに送信し、ネットワークデバイスは、該タイミング関係に基づいてフィードバック情報の送信を行い、端末デバイスは、該タイミング関係に基づいてフィードバック情報の受信を行ってもよい。
【００４６】
なお、本願の実施例は、上りデータを例として説明したが、本願の実施例は、これに限定されず、本願の実施例は、下りデータの伝送に用いられてもよく、即ち、上りデータを下りデータに置き換えてもよく、簡潔にするために、ここではその説明を省略する。
【００４７】
任意選択で、本願の実施例において、前記上りデータと前記伝送情報とは、物理上り共有チャネル（Ｐｈｙｓｉｃａｌ Ｕｐｌｉｎｋ Ｓｈａｒｅｄ Ｃｈａｎｎｅｌ、ＰＵＳＣＨ）に搬送され、ここで、ＰＵＳＣＨにおいて、伝送情報を搬送するものが上り制御情報（Ｕｐｌｉｎｋ Ｃｏｎｔｒｏｌ Ｉｎｆｏｒｍａｔｉｏｎ、ＵＣＩ）であってもよい。
【００４８】
勿論、本願の実施例において、上りデータと伝送情報とは、ＰＵＳＣＨ及び物理上り制御チャネル（Ｐｈｙｓｉｃａｌ Ｕｐｌｉｎｋ Ｃｏｎｔｒｏｌ Ｃｈａｎｎｅｌ、ＰＵＣＣＨ）にそれぞれ搬送されてもよく、本願の実施例がこれに限定されない。
【００４９】
任意選択で、本願の実施例において、毎回の上りデータは、単一の伝送ブロック（Ｔｒａｎｓｐｏｒｔ Ｂｌｏｃｋ、ＴＢ）、又は、単一の符号化ブロックグループ（Ｃｏｄｉｎｇ Ｂｌｏｃｋ Ｇｒｏｕｐ、ＣＢＧ）、又は、マルチストリームに対応する複数のＴＢ又は複数のＣＢＧ、又は、同一の時間領域位置に対応する複数のＴＢ又は複数のＣＢＧを含む。
【００５０】
ここで、１回の上りデータが複数のＴＢ又は複数のＣＢＧを含む場合、各ＴＢ又はＣＢＧに対して今回の上りデータ伝送の伝送情報（例えば、番号）を搬送し、この時、複数のＴＢ又はＣＢＧの伝送情報（例えば、番号）は同じであってもよい。ここで、各ＴＢ又はＣＢＧの伝送情報に対して時間周波数リソースにおいてＴＢ又はＣＢＧによって囲まれるか、または半囲まれてもよい。
【００５１】
例えば、図４に示すように、１つの時間領域位置で３つのＴＢ又はＣＢＧが送信される場合、３回の伝送情報が送信されてもよく( ＵＣＩに搬送される)、毎回の伝送情報は、それに対応するＴＢ又はＣＢＧによって囲まれ、ここで、斜線で示す斜線部分は、上りデータを表す。
【００５２】
又は、１回の上りデータが複数のＴＢ又は複数のＣＢＧを含む場合、１回の伝送情報(例えば、番号)が複数のＴＢ又はＣＢＧに対して送信されてもよく、この伝送情報は、ＴＢ又はＣＢＧのうちの１つによって囲まれてもよく、又は半分に囲まれてもよい。
【００５３】
例えば、図５に示すように、１つの時間領域位置で３つのＴＢ又はＣＢＧが送信される場合、１回の伝送情報が送信されてもよく( ＵＣＩに搬送される)、この伝送情報は、１つのＴＢ又はＣＢＧによって囲まれ、ここで、斜線で示す部分は、上りデータを表す。
【００５４】
なお、上記の説明では、同一時間領域位置上の対応する複数のＴＢ又はＣＢＧを１回の伝送のための上りデータとして用いることができるが、本願の実施例はこれに特に限定されない
例えば、同じ時間領域位置が複数の周波数領域位置を占有して送信される上りデータは、複数の上り伝送として理解されてもよく、ここで、各周波数領域位置は、１回の上り伝送に対応する。任意選択で、前記複数の周波数領域位置のそれぞれが異なるＢＷＰまたは異なるサブバンドに属する。この場合、同一時間領域位置の同一ＢＷＰ又はサブバンド上での上り伝送を１回の上り伝送と呼ぶことができることを意味できる。ここで、１つのＢＷＰまたはサブバンドは、１つのＴＢまたはＣＢＧを伝送したり、複数のＴＢまたはＣＢＧを伝送したりすることができる。
【００５５】
また、例えば、同じ時間領域位置でマルチストリームを介して送信される上りデータは、複数回の上りデータ伝送として理解されてもよく、各ストリームは、１回の上りデータ伝送に対応する。ここで、１つのストリームは、１つのＴＢ又はＣＢＧを伝送したり、複数のＴＢ又はＣＢＧを伝送することができる。
【００５６】
任意選択で、本願の実施例において、毎回の上り伝送が複数のＴＢ又はＣＢＧを含む時、該複数のＴＢ又はＣＢＧの各ＴＢ又はＣＢＧにフィードバック情報を有してもよく、１つのＴＢ又はＣＢＧが受信できないか又は成功に受信できない場合、否定応答( Ｎｅｇａｔｉｖｅ ＡＣＫｎｏｗｌｅｄｇｍｅｎｔ、ＮＡＣＫ )情報をフィードバックしてもよく(不連続受信でもよく、Ｄｉｓｃｏｎｔｉｎｕｏｕｓ Ｔｒａｎｓｍｉｓｓｉｏｎ、ＤＴＸ、本願の実施例は以下ＮＡＣＫを例に説明する)、他のＴＢ又はＣＢＧは肯定応答( ＡＣＫｎｏｗｌｅｄｇｍｅｎ、ＡＣＫ )情報をフィードバックしてもよく、または、この複数のＴＢまたはＣＢＧに対して、１回のみのフィードバック情報を有し、例えば、この複数のＴＢまたはＣＢＧの全てが成功に受信された場合、ＡＣＫ情報をフィードバックすることができ、この複数のＴＢまたはＣＢＧのうちの１つのみが受信されないまたは成功に受信されない場合、ＮＡＣＫ情報をフィードバックすることができる、また、例えば、この複数のＴＢ又はＣＢＧのうち、１つ以上のＴＢ又はＣＢＧが成功に受信された場合、ＡＣＫ情報をフィードバックすることができ、この複数のＴＢ又はＣＢＧのいずれも受信されない又は成功的に受信されない場合、ＮＡＣＫ情報をフィードバックすることができる。
【００５７】
任意選択で、本願の実施例において、上りデータの番号は、この上りデータが少なくとも１回の上りデータうちの何回目の上りデータであることを示す。
【００５８】
任意選択で、本願の実施例による上りデータの番号は、例えば図６に示すように、小さいものから大きいものへと整列されてもよく、或いは、例えば図７に示すように、大きいものから小さいものへと整列されてもよい。 
上りデータの番号のステップサイズは一定であってもよく、例えば図６、図７に示すように、上りデータの番号を１に基づいてインクリメントしてもデクリメントしてもよい。
【００５９】
ここで、この番号は、インデックス、上り番号などと呼ばれてもよい。
【００６０】
任意選択で、同一時間領域位置で複数回の上りデータが送信される場合、該位置の上りデータに対応する伝送情報に含まれる送信済み上りデータの回数は、該複数回の上りデータに、該位置より前に送信された上りデータの回数を加えた和であってもよい。
【００６１】
例えば、図８に示すように、４番目の時間領域位置において、４回目の上りデータと５回目の上りデータとが送信されていたとすると、該４回目の上りデータと５回目の上りデータとに対応する伝送情報において送信済みの上りデータの回数は５回となる。
【００６２】
なお、上記の説明は、少なくとも１つの上りデータの総回数を、毎回の上りデータの伝送情報に搬送できるが、本願の実施例は、これに限定されず、その総回数は、部分的に上りデータの伝送に搬送でき、又は、この総回数を単独で送信してもよく、この場合、端末デバイスは、この総回数をネットワークデバイスに送信しておき、フィードバックを受信した後に、少なくとも１回の上りデータの伝送を行うようにしてもよい。
【００６３】
なお、上りデータの伝送情報は、前記毎回の上りデータの番号、前記少なくとも１回の上りデータの総回数、現在送信された上りデータの回数の以外に、他の情報、例えば、上りデータのＨＡＲＱプロセス番号などを含む。
【００６４】
任意選択で、本願の実施例において、端末デバイスは、前記端末デバイスが送信可能な上りデータの回数の最大値に基づいて前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定することができる。
【００６５】
これに対応し、ネットワークデバイスは、前記端末デバイスが送信可能な上りデータの回数の最大値に基づいて前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定することができる。
【００６６】
具体的に、端末デバイスは、前記端末デバイスが送信可能な上りデータの回数の最大値に基づいて、上りデータの回数を決定することで、伝送される上りデータの回数が端末デバイスの能力を超え又はネットワークの負荷の増大を回避する。
【００６７】
また、端末デバイスは、前記端末デバイスが送信可能な上りデータの回数の最大値に基づいて、前記毎回の上りデータの番号のビット構成、前記少なくとも１回の上りデータの総回数のビット構成及び現在送信された上りデータの回数のビット構成を決定することで、ネットワークデバイスがこの伝送情報を復調することを保証し、これは、端末デバイスが実際に送信した上りデータの回数はネットワークデバイスにはわからないため、端末デバイスが送信できる上りデータの回数の最大値に基づいて送信情報のビット構成を行うことにより、ネットワークデバイスが送信情報を正しく取得することを保証することができる。
【００６８】
ここで、ここのビット構成は、ビット長さであっても良く、例えば、前記端末デバイスが送信可能な上りデータの回数の最大値が８である場合、前記毎回の上りデータの番号、前記少なくとも１回の上りデータの総回数、現在送信された上りデータの回数のいずれも３つのビットで示す。
【００６９】
ここで、前記端末デバイスが送信可能な上りデータの回数の最大値は、ネットワークデバイスにより構成されても良い。
【００７０】
例えば、前記端末デバイスがネットワークデバイスにより送信された第２の情報を受信し、前記第２の情報が前記端末デバイスが送信可能な上りデータの回数の最大値を示す。
【００７１】
任意選択で、前記第２の情報は、動的シグナリングに搬送されても良い。
【００７２】
前記第２の情報は、任意選択で、無線リソース制御（Ｒａｄｉｏ Ｒｅｓｏｕｒｃｅ Ｃｏｎｔｒｏｌ、ＲＲＣ）シグナリング又は媒体アクセス制御（Ｍｅｄｉａ Ａｃｃｅｓｓ Ｃｏｎｔｒｏｌ、ＭＡＣ）シグナリングに搬送される。
【００７３】
なお、前記端末デバイスが送信可能な上りデータの回数の最大値は、プロトコルにより構成されても良い。
【００７４】
任意選択で、前記端末デバイスが送信可能な上りデータの回数の最大値は、ネットワークデバイスがフィードバックすることができる上りデータの回数の最大値と等しくても良いし、ネットワークデバイスがフィードバックすることができる上りデータの回数の最大値と等しくなくても良い。
【００７５】
任意選択で、本願の実施例において、ネットワークデバイスは、前記少なくとも１回の上りデータの総回数に基づいて、前記少なくとも１回の上りデータの受信が完了するかどうかを決定することができる。
【００７６】
具体的に、端末デバイスは、少なくとも１回の上りデータの総回数と、この回目の上りデータの番号を毎回の上りデータの伝送に搬送し、この時、端末デバイスは、受信した上りデータの番号と、上りデータ伝送の回数とに基づいて、上りデータの受信完了を判断することができる。ネットワークデバイスは、上りデータの受信が完了したと決定した後、少なくとも１回の上りデータのフィードバック情報のフィードバックメッセージを端末デバイスにさらに搬送し得る。
【００７７】
仮に、上りデータの総回数が７回であったとすると、受信した上りデータの番号が１から７であれば、上りデータは既に受信済みであるとみなし、受信した上りデータの番号が１から６であれば、上りデータは受信済みでないとみなすことができる。
【００７８】
任意選択で、本願の実施例において、ネットワークデバイスが前記少なくとも１回の上りデータの総回数又は現在送信された上りデータの回数、及び現在受信された上りデータの番号に基づいて、損失された上りデータを決定する。
【００７９】
一実装形態において、端末デバイスは、毎回の上りデータの伝送情報に、上りデータの総回数および上りデータの番号を搬送することができ、ここで、ネットワークデバイスは、受信された上りデータの番号および上りデータの総回数に基づいて、損失された上りデータのうちのどれが決定されるかを決定することができる。
【００８０】
具体的には、上りデータの番号が小さい順に並べられているものとすると、上りデータの総回数は、最後の上りデータが損失したか否かの判定に用いられる。
【００８１】
例えば、図９に示すように、上りデータの総番号が小さい順に並べられているとすると、１から４個の番号があり、総回数が４回であるとすると、４回目の上りデータ伝送が損失されたときには、その総回数に基づいて、最後の上りデータが損失されたことを特定することができる。
【００８２】
又は、上りデータの総回数は、上りデータの番号が大きい順に並べられているものとすると、１回目の上りデータが損失したか否かの判定に用いられてもよい。
【００８３】
例えば、上りデータの総番号を大きい順に並べられ、７〜１個の番号があるとし、総回数を７回とすると、１回目の上りデータ伝送(番号７)が損失されたとき、その総回数に基づいて、１回目の上りデータ損失を特定することができる。
【００８４】
このような実装形態では、上りデータの番号は所定のステップサイズで配列され、上りデータの番号は小さい順又は大きい順に配列されてもよく、この場合、中間回の上りデータが損失されたか否かは上りデータの番号自体に基づいて決定されてもよい。
【００８５】
例えば、番号配列が１からＮまで、ステップサイズが１である場合、途中の上りデータが損失したか否かを判断し、受信した上りデータの番号が１、２、４、５であれば、３回目の上りデータが損失したと判断し、ＮＡＣＫ情報をフィードバックするようにしてもよい。
【００８６】
なお、本願の実施例において、ネットワークデバイスは、上りデータの総回数を報告することなく、直接上りデータの番号に基づいてデータが損失したか否かを確定し、具体的には、中間の上りデータが損失したか否かを決定することができる。
【００８７】
他の実施例では、端末デバイスは、毎回の上りデータの伝送情報において、発生した上りデータの回数および上りデータ番号を搬送することができ、ここで、ネットワークデバイスは、受信された上りデータ番号および発生した上りデータの回数に基づいて、損失された上りデータのうちのどれが決定されるかを決定することができる。
【００８８】
例えば、ネットワークデバイスが５回の上りデータを受信した場合、最後の回目に受信した上りデータに含まれる発生した上りデータの回数が６回であり、前回受信した上りデータに含まれる発生した上りデータが４回である場合、５回目の上りデータが損失されたとみなすことができる。
【００８９】
例えば、図８に示すように、ネットワークデバイスが上りデータを６回受信した場合、最後の回に受信した上りデータに含まれる発生した上りデータ回数が７回であれば、７回目の上りデータが損失されたとみなすことができる。
【００９０】
この場合、上りデータの番号は、順に配列されなくてもよい。もちろん、上りデータの番号は、順に配列されてもよく、本願の実施例は、これに特に限定されない。
【００９１】
任意選択で、本願の実施例において、ネットワークデバイスは、前記毎回の上りデータの番号に基づいて、前記毎回の上りデータのフィードバック情報を送信することができる。
【００９２】
これに対応し、端末デバイスは、毎回の上りデータの番号に基づいて、毎回の上りデータのフィードバック情報を取得することができる。
【００９３】
一実現形態において、ネットワークデバイス前記毎回の上りデータの番号に基づいて、前記毎回の上りデータのフィードバック情報がフィードバックメッセージで占用するビット位置を決定し、前記フィードバックメッセージが前記少なくとも１回の上りデータにおけるフィードバック情報を含み、前記ビット位置で前記毎回の上りデータのフィードバック情報を搬送し、前記フィードバックメッセージを送信する。
【００９４】
これに対応し、端末デバイス前記毎回の上りデータの番号に基づいて、受信されたフィードバックメッセージから前記毎回の上りデータのフィードバック情報が前記フィードバックメッセージで占用するビット位置を決定し、前記フィードバックメッセージが前記少なくとも１回の上りデータのうちの全部又は一部の上りデータのフィードバック情報を含み、前記ビット位置に基づいて、前記フィードバックメッセージから前記毎回の上りデータのフィードバック情報を取得する。
【００９５】
ここで、フィードバックメッセージに少なくとも１回の上りデータのフィードバック情報が含めても良く、ここで、該少なくとも１回の上りデータは、一部のデータがネットワークデバイスにより成功に受信されても良く（対応するフィードバック情報がＡＣＫである）、一部のデータがネットワークデバイスにより成功に受信されない又はネットワークデバイスにより廃棄されても良い（対応するフィードバック情報がＤＴＸ/ＮＡＣＫである）。
【００９６】
毎回の上りデータのフィードバック情報のフィードバックメッセージでのビット位置は、上りデータの番号に基づいて決定されても良く、例えば、番号が１である場合、１番目のビット位置にあり、番号が２である場合、２番目のビット位置にあり、番号が３である場合、３番目のビット位置にあり、これに基づいて類推する。
【００９７】
なお、フィードバックメッセージの１回の上りデータに対応するビット位置は、１つのビットを含んでも良いし、複数のビットを含んでも良い。
【００９８】
例えば、１回の上りデータ伝送が複数のＴＢ又はＣＢＧを含む場合、１回の上りデータ伝送に対応するビット位置は、各々がそれぞれ１つのＴＢ又はＣＢＧに対応する複数のビットを含むことができる。この上り伝送に対応する複数のビットにおける各ＴＢまたはＣＢＧの位置は、ネットワークデバイスによって構成されてもよいし、プロトコルによって予め設定されてもよい。
【００９９】
もちろん、１回の上りデータ伝送が複数のＴＢ又はＣＢＧを含む場合でも、フィードバックメッセージ内の対応するビット位置は１ビットのみを含むことができる。本願の実施例は、これに特に限定されるものではない。
【０１００】
一実現形態において、ネットワークデバイスは、前記毎回の上りデータの番号に基づいて、前記毎回の上りデータのフィードバック情報が占用するリソースを決定し、決定された前記リソースにおいて、前記毎回の上りデータのフィードバック情報を送信することができる。
【０１０１】
これに対応し、端末デバイスは、前記毎回の上りデータの番号に基づいて、前記毎回の上りデータのフィードバック情報が占用するリソースを決定し、前記毎回の上りデータのフィードバック情報のリソースに基づいて、前記毎回の上りデータのフィードバック情報を取得することができる。
【０１０２】
ここのリソースは、コード領域リソースであってもよく、異なるコード領域リソースは、異なる番号を有する上りデータのフィードバックに使用されてもよい。
【０１０３】
例えば、番号１の上りデータのフィードバック情報を示すシーケンスと、番号２の上りデータのフィードバック情報を示すシーケンスとが存在してもよい。
【０１０４】
当然、ここのシーケンスは時間領域リソース又は周波数領域リソースであってもよく、本願の実施例はこれに具体的に限定されない。
【０１０５】
本願の実施例において、ネットワークデバイスは、端末デバイスが実際に伝送した上りデータに基づいてフィードバック情報の送信を行うことができ、即ち、リソース上で対応する上りデータをフィードバックする際に実際に発生した上り伝送の数によって決定され、発生しなかった上りデータに対するフィードバックを含まなくてもよい。ここで、このフィードバックモードを動的フィードバックモードとしてもよい。このとき、上りデータの伝送情報に上りデータの番号を搬送するようにしてもよい。
【０１０６】
例えば、図６、図７、図８、図９に示すように、下りリンクで伝送されるフィードバック情報の数は、上りデータ伝送の回数と同じであってもよい。
【０１０７】
他の実装形態では、ネットワークデバイスがフィードバックするリソース上に対応する上りデータの数は、準静的に構成され、この数は、実際に発生する上りデータの伝送の数以上である。ここで、該フィードバックモードを半静的フィードバックモードと言う。このとき、上りデータの伝送情報に上りデータの番号を搬送しても良い。
【０１０８】
例えば、図１０に示すように、下りリンクのフィードバック情報の数は、上りデータ伝送の回数より大きくてもよく、ここで、一部のフィードバック情報は、プレースホールド情報( ＮＡＣＫでもよい)と呼ばれてもよく、任意の上りデータにも対応しない、すなわち、図１０に示す最後の２つのＮＡＣＫ情報である。
【０１０９】
さらに別の実装形態では、ネットワークデバイスがフィードバックするリソース上に対応する上りデータの数は、利用可能なプロセスの最大数に基づいて決定され、この数は、実際に発生した上りデータの伝送の数以上である。ここで、このフィードバックモードをフルコードブックのフィードバックモードを呼ぶことができる。この時、上りデータの伝送情報に上りデータの番号を搬送する必要がない。
【０１１０】
任意選択で、本願の実施例において、フィードバックモードが動的フィードバックモードである場合、フィードバックメッセージには、例えば、図６、図７、図８、および図９に示すように、実際に発生した上りデータに対応するフィードバック情報のみが搬送されてもよい。
【０１１１】
フィードバックモードが半静的フィードバックモードである場合、フィードバックメッセージには実際に発生した上りデータに対応するフィードバック情報を搬送することができ、余分なビットはプレースホールド情報を搬送することができる。ここで、フィードバックメッセージで実際に発生した上りデータに対応するフィードバック情報は、フィードバックメッセージの予め設定された位置を占有することができ、例えば、フィードバックメッセージの最初の複数の連続ビット(例えば、図１０に示す)、最後の連続の複数のビット、または、中間の連続ビットを占有することができる。
【０１１２】
フィードバックモードがフルコードブックのフィードバックモードであるとき、フィードバックメッセージには、最大で利用可能なすべてのプロセスのフィードバック情報が搬送される。このとき、フィードバックメッセージは、より多くのビットを含む必要があり、フィードバックメッセージ内のフィードバック情報の構成は、プロセス番号に基づいて決定され得る。
【０１１３】
任意選択で、本願の実施例において、少なくとも１回の上りデータのフィードバック情報が同一のフィードバックメッセージに搬送される場合、該フィードバックメッセージが占用するリソース（例えば、時間領域リソース、周波数領域リソース及び/又はコード領域リソース）は、前記少なくとも１回の上りデータの総回数又はフィードバックメッセージの予め設定された長さに基づいて決定される。
【０１１４】
例えば、フィードバックモードが動的フィードバックモードである場合、フィードバックメッセージに実際に発生した上りデータのフィードバック情報のみが搬送されても良く、この時、前記少なくとも１回の上りデータの総回数に基づいてフィードバックメッセージが占用するリソースを決定することができる。
【０１１５】
また、例えば、フィードバックモードが半静的フィードバックモードである場合、フィードバックメッセージに実際に発生した上りデータのフィードバック情報及びプレースホールド情報が搬送されても良く、該フィードバックメッセージの長さは、予め設定された長さであっても良く、この時、該予め設定された長さに基づいてフィードバックメッセージが占用するリソースを決定することができる。
【０１１６】
任意選択で、本願の実施例において、少なくとも１回の上りデータのフィードバック情報が同一のフィードバックメッセージに搬送される場合、該フィードバックメッセージの長さ（例えば、時間領域リソース、周波数領域リソース及び／又はコード領域リソース）は、前記少なくとも１回の上りデータの総回数又はフィードバックメッセージの予め設定された長さに基づいて決定される。
【０１１７】
ここで、該フィードバックメッセージの長さを決定した後、該長さに基づいてフィードバックメッセージのリソースを決定することができる。
【０１１８】
任意選択で、本願の実施例において、ネットワークデバイスが端末デバイスにフィードバックモードを構成することができる。
【０１１９】
例えば、前記端末デバイスがネットワークデバイスにより送信された第１の情報を受信し、前記第１の情報が前記ネットワークデバイスの前記上りデータに対するフィードバックモードを示し、前記フィードバックモードが実際に伝送される上りデータに基づいて前記上りデータのフィードバックメッセージが占用するリソース及び／又はフィードバックメッセージのビット構成を決定することを指示し、この時、該フィードバックモードは、上記の動的フィードバックモード又は半静的フィードバックモードであっても良い。
【０１２０】
任意選択で、前記第１の情報は、動的シグナリングに搬送される。
【０１２１】
前記第１の情報は、ＲＲＣシグナリング又はＭＡＣシグナリングに搬送されても良い。
【０１２２】
又は、該フィードバックモードは、プロトコルにより端末デバイスに予め設定される。
【０１２３】
そして、本願の実施例において、端末デバイスは、上りデータを送信する時に、毎回の上りデータの番号、上りデータの総回数及び現在送信された上りデータの回数のうちの少なくとも１つを送信することで、より優れたフィードバック情報のフィードバックを実現することができ、通信性能を向上させることができる。
【０１２４】
図１１は本願の実施例における端末デバイス４００のブロック図である。該端末デバイス４００は、通信ユニット４１０及び処理ユニット４２０を含む。
【０１２５】
前記通信ユニット４１０は、上りデータを少なくとも１回送信し、前記少なくとも１回の上りデータの毎回の上りデータに対して前記毎回の上りデータの伝送情報を送信するように構成され、前記毎回の上りデータの伝送情報は、
前記毎回の上りデータの番号、前記少なくとも１回の上りデータの総回数、前記少なくとも１回の上りデータのうちの現在送信された上りデータの回数のうちの少なくとも１つを含む。
【０１２６】
任意選択で、前記通信ユニット４１０は、さらに、
免許不要周波数帯域においてチャネルリスニングを行い、
チャネルリスニングが成功した場合、前記免許不要周波数帯域において前記少なくとも１回の上りデータを送信するように構成される。
【０１２７】
任意選択で、前記毎回の上りデータは、単一の伝送ブロックＴＢ、又は、単一の符号化ブロックユニットＣＢＧ、又は、マルチストリームに対応する複数のＴＢ又はＣＢＧ、又は、単一の時間領域位置に対応する複数のＴＢ又はＣＢＧを含む。
【０１２８】
任意選択で、前記通信ユニット４１０は、さらに、
ネットワークデバイスが前記上りデータに対して送信するフィードバック情報を取得するように構成される。
【０１２９】
任意選択で、前記通信ユニット４１０は、さらに、
前記毎回の上りデータの番号に基づいて、前記毎回の上りデータのフィードバック情報を取得するように構成される。
【０１３０】
任意選択で、処理ユニット４２０は、
前記毎回の上りデータの番号に基づいて、受信されたフィードバックメッセージから前記毎回の上りデータのフィードバック情報が前記フィードバックメッセージで占用するビット位置を決定するように構成され、前記フィードバックメッセージが前記少なくとも１回の上りデータのうちの全部又は一部の上りデータのフィードバック情報を含み、
前記通信ユニット４１０は、さらに、前記ビット位置に基づいて、前記フィードバックメッセージから前記毎回の上りデータのフィードバック情報を取得するように構成される。
【０１３１】
任意選択で、処理ユニット４２０は、
前記少なくとも１回の上りデータの総回数又はフィードバックメッセージの予め設定された長さに基づいて、フィードバックメッセージを受信するリソースを決定するように構成され、前記フィードバックメッセージが前記少なくとも１回の上りデータのうちの全部又は一部の上りデータのフィードバック情報を含み、
前記通信ユニット４１０は、さらに、決定された前記リソースにおいて、前記フィードバックメッセージを受信するように構成される。
【０１３２】
任意選択で、前記フィードバックメッセージが予め設定された長さを有する場合、前記上りデータのフィードバック情報が前記フィードバックメッセージの予め設定された位置に位置し、他の位置がプレースホルダ信号を充填するために使用される。
【０１３３】
任意選択で、処理ユニット４２０は、
前記毎回の上りデータの番号に基づいて、前記毎回の上りデータのフィードバック情報が占用するコード領域リソースを決定するように構成され、
前記通信ユニット４１０は、さらに、前記毎回の上りデータのフィードバック情報的コード領域リソースに基づいて、前記毎回の上りデータのフィードバック情報を取得するように構成される。
【０１３４】
任意選択で、前記通信ユニット４１０は、さらに、
ネットワークデバイスにより送信された第１の情報を受信するように構成され、前記第１の情報が前記ネットワークデバイスの前記上りデータに対するフィードバックモードを示し、前記フィードバックモードが実際に伝送される上りデータに基づいて前記上りデータのフィードバックメッセージが占用するリソース及び／又はフィードバックメッセージのビット構成を決定することを指示する。
【０１３５】
任意選択で、前記第１の情報は、無線リソース制御ＲＲＣシグナリング又は媒体アクセス制御ＭＡＣシグナリングに搬送される。
【０１３６】
任意選択で、処理ユニット４２０は、
前記端末デバイスが送信可能な上りデータの回数の最大値に基づいて、
前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定するように構成される。
【０１３７】
任意選択で、前記通信ユニット４１０は、さらに、
ネットワークデバイスにより送信された第２の情報を受信するように構成され、前記第２の情報が前記端末デバイスが送信可能な上りデータの回数の最大値を示す。
【０１３８】
任意選択で、前記少なくとも１回の上りデータが時間領域に少なくとも１つの位置を占用する。
【０１３９】
任意選択で、同一の時間領域位置で複数の周波数領域位置を占用して上りデータを複数回送信する。
【０１４０】
任意選択で、前記複数の周波数領域位置は、それぞれ異なる帯域幅部分（Ｂａｎｄ Ｗｉｄｔｈ Ｐａｒｔ、ＢＷＰ）又は異なるサブバンドに属する。
【０１４１】
任意選択で、前記上りデータと前記伝送情報とは、物理上り共有チャネルＰＵＳＣＨに搬送される。
【０１４２】
なお、端末デバイス４００は、本願の方法の実施例において端末デバイスにより実現される様々な動作を実現するために用いられることができ、簡潔にするために、ここでその説明を省略する。
【０１４３】
図１２は本願の実施例におけるネットワークデバイス５００のブロック図である。該ネットワークデバイス５００は、通信ユニット５１０を含み、任意選択で、処理ユニット４２０を含む。
【０１４４】
通信ユニット５１０は、端末デバイスにより送信された少なくとも１回の上りデータ、及び前記少なくとも１回の上りデータの毎回の上りデータに対して前記端末デバイスにより送信された前記毎回の上りデータの伝送情報を受信し、前記毎回の上りデータの伝送情報は、
前記毎回の上りデータの番号、前記少なくとも１回の上りデータの総回数、現在送信された上りデータの回数のうちの少なくとも１つを含み、
前記上りデータの伝送情報に基づいて、前記端末デバイスに前記上りデータのフィードバック情報を送信するように構成される。
【０１４５】
任意選択で、前記少なくとも１回の上りデータと前記伝送情報とは、免許不要周波数帯域に搬送される。
【０１４６】
任意選択で、前記毎回の上りデータは、単一のＴＢ、又は、単一のＣＢＧ、又は、マルチストリームに対応する複数のＴＢ又はＣＢＧ、又は、単一の時間領域位置に対応する複数のＴＢ又はＣＢＧを含む。
【０１４７】
任意選択で、処理ユニット５２０は、
前記少なくとも１回の上りデータの総回数に基づいて、前記少なくとも１回の上りデータの受信が完了するかどうかを決定するように構成される。
【０１４８】
任意選択で、処理ユニット５２０は、
前記少なくとも１回の上りデータの総回数又は現在送信された上りデータの回数、及び現在受信された上りデータの番号に基づいて、損失された上りデータを決定するように構成される。
【０１４９】
任意選択で、前記通信ユニット５１０は、さらに、
前記毎回の上りデータの番号に基づいて、前記毎回の上りデータのフィードバック情報を送信するように構成される。
【０１５０】
任意選択で、処理ユニット５２０は、
前記毎回の上りデータの番号に基づいて、前記毎回の上りデータのフィードバック情報がフィードバックメッセージで占用するビット位置を決定し、前記フィードバックメッセージが前記少なくとも１回の上りデータにおけるフィードバック情報を含み、
前記ビット位置で前記毎回の上りデータのフィードバック情報を搬送するように構成され、
前記通信ユニット５１０は、さらに、前記フィードバックメッセージを送信するように構成される。
【０１５１】
任意選択で、処理ユニット５２０は、
前記少なくとも１回の上りデータの総回数又はフィードバックメッセージの予め設定された長さに基づいて、フィードバックメッセージを送信するリソースを決定するように構成され、前記フィードバックメッセージが前記少なくとも１回の上りデータにおけるフィードバック情報を含み、
前記通信ユニット５１０は、さらに、決定された前記リソースにおいて、前記フィードバックメッセージを送信するように構成される。
【０１５２】
任意選択で、前記フィードバックメッセージが予め設定された長さを有する場合、前記上りデータのフィードバック情報が前記フィードバックメッセージの予め設定された位置に位置し、他の位置がプレースホルダ信号を充填するために使用される。
【０１５３】
任意選択で、処理ユニット５２０は、
前記毎回の上りデータの番号に基づいて、前記毎回の上りデータのフィードバック情報が占用するコード領域リソースを決定するように構成され、
前記通信ユニット５１０は、さらに、決定された前記コード領域リソースにおいて、前記毎回の上りデータのフィードバック情報を送信するように構成される。
【０１５４】
任意選択で、前記通信ユニット５１０は、さらに、
前記端末デバイスに第１の情報を送信するように構成され、前記第１の情報が前記ネットワークデバイスの前記上りデータに対するフィードバックモードを示し、前記フィードバックモードが実際に伝送される上りデータに基づいて前記上りデータのフィードバックメッセージが占用するリソース及び／又はフィードバックメッセージのビット構成を決定することを指示する。
【０１５５】
任意選択で、前記第１の情報は、ＲＲＣシグナリング又はＭＡＣシグナリングに搬送される。
【０１５６】
任意選択で、処理ユニット５２０は、
前記端末デバイスが送信可能な上りデータの回数の最大値に基づいて、
前記少なくとも１回の上りデータの総回数、前記毎回の上りデータの番号のビット構成、前記少なくとも１回の上りデータの総回数のビット構成、現在送信された上りデータの回数のビット構成のうちの少なくとも１つを決定するように構成される。
【０１５７】
任意選択で、前記通信ユニット５１０は、さらに、
前記端末デバイスに第２の情報を送信するように構成され、前記第２の情報が前記端末デバイスが送信可能な上りデータの回数の最大値を示す。
【０１５８】
任意選択で、前記少なくとも１回の上りデータが時間領域に少なくとも１つの位置を占用する。
【０１５９】
任意選択で、同一の時間領域位置で複数の周波数領域位置を占用して上りデータを複数回送信する。
【０１６０】
任意選択で、前記複数の周波数領域位置は、異なる帯域幅部分ＢＷＰ又は異なるサブバンドにそれぞれ属する。
【０１６１】
任意選択で、前記上りデータと前記伝送情報とは、物理上り共有チャネルＰＵＳＣＨに搬送される。
【０１６２】
なお、ネットワークデバイス５００は、本願の方法の実施例においてネットワークデバイスにより実現される様々な動作を実現するために用いられてもよいため、簡潔のため、ここでその説明を省略する。
【０１６３】
図１３は、本願の実施例で提供される通信デバイス６００の概略構成図である。図１３に示す通信デバイス６００は、メモリからコンピュータプログラムを呼び出して実行し、本願の実施例における方法を実現することができるプロセッサ６１０を含む。
【０１６４】
任意選択で、図１３に示すように、通信デバイス６００は、メモリ６２０をさらに含むことができる。ここで、プロセッサ６１０は、メモリ６２０からコンピュータプログラムを呼び出して実行することにより、本願の実施例における方法を実現することができる。
【０１６５】
ここで、メモリ６２０は、プロセッサ６１０とは独立した１つの別個の部品であってもよいし、プロセッサ６１０に集積されてもよい。
【０１６６】
任意選択で、図１３に示すように、通信デバイス６００は、プロセッサ６１０が他のデバイスと通信するように制御することができる送受信機６３０をさらに備えることができ、具体的に、他のデバイスに情報又はデータを送信することができ、又は他のデバイスから送信された情報又はデータを受信することができる。
【０１６７】
ここで、送受信機６３０は、送信機および受信機を含み得る。送受信機６３０は、１つ以上のアンテナをさらに含むことができる。
【０１６８】
任意選択で、該通信デバイス６００は具体的に本願の実施例の端末デバイスであってもよく、且つ該通信デバイス６００は本願の実施例の各方法における端末デバイスにより実現される対応するフローを実現してもよく、簡潔にするために、ここでその説明が省略される。
【０１６９】
任意選択で、該通信デバイス６００は具体的に本願の実施例のネットワークデバイスであってもよく、且つ該通信デバイス６００は本願の実施例の各方法におけるネットワークデバイスにより実現される対応するフローを実現してもよく、簡潔にするために、ここでその説明が省略される。
【０１７０】
図１４は、本願の実施例のチップの概略構成図である。図１４に示すチップ７００は、メモリからコンピュータプログラムを呼び出して実行することにより、本願の実施例における方法を実現するプロセッサ７１０を含む。
【０１７１】
任意選択で、図１４に示すように、チップ７００は、メモリ７２０をさらに含んでもよい。プロセッサ７１０は、メモリ７２０からコンピュータプログラムを呼び出して実行することにより、本願の実施例における方法を実現することができる。
【０１７２】
ここで、メモリ７２０は、プロセッサ７１０とは独立した別個の部品であってもよいし、プロセッサ７１０に集積されていてもよい。
【０１７３】
任意選択で、チップ７００は、入力インタフェース７３０をさらに含むことができる。ここで、プロセッサ７１０は、該入力インタフェース７３０を制御して他のデバイス又はチップと通信し、具体的には、他のデバイス又はチップから送信された情報又はデータを取得することができる。
【０１７４】
任意選択で、チップ７００は、出力インタフェース７４０をさらに含むことができる。ここで、プロセッサ７１０は、出力インタフェース７４０を制御して他のデバイス又はチップと通信し、具体的には、他のデバイス又はチップに情報又はデータを出力することができる。
【０１７５】
任意選択で、該チップは、本願の実施例における端末デバイスに適用され、且つ該チップは、本願の実施例における各方法において端末デバイスにより実現される対応するフローを実現することができ、簡潔にするために、ここでその説明が省略される。
【０１７６】
任意選択で、該チップは、本願の実施例におけるネットワークデバイスに適用され、且つ該チップは、本願の実施例の各方法におけるネットワークデバイスにより実現される対応するフローを実現することができ、簡潔にするために、ここでその説明が省略される。
【０１７７】
なお、本願の実施例で言及されるチップは、システムレベルチップ、システムチップ、チップシステムまたはシステムオンチップなどと称されることもあることを理解されたい。
【０１７８】
図１５は、本願の実施例で提供される通信システム９００の概略ブロック図である。図１５に示すように、通信システム９００は、端末デバイス９１０と、ネットワークデバイス９２０とを有する。
【０１７９】
ここで、該端末デバイス９１０は、上記方法において端末デバイスにより実現される相応の機能を実現するために用いられてもよく、及び該ネットワークデバイス９２０は、上記方法においてネットワークデバイスにより実現される相応の機能を実現するために用いられてもよく、簡潔にするために、ここではその説明を省略する。
【０１８０】
本願の実施例のプロセッサは、信号の処理能力を有する集積回路チップであってもよい。実装において、方法の実施例における上述のステップは、プロセッサ内のハードウェアの集積論理回路またはソフトウェアの形態の命令によって達成され得る。上述したプロセッサは、汎用プロセッサ、ＤＳＰ（Ｄｉｇｉｔａｌ Ｓｉｇｎａｌ Ｐｒｏｃｅｓｓｏｒ）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ Ｐｒｏｇｒａｍｍａｂｌｅ Ｇａｔｅ Ａｒｒａｙ）、または他のプログラマブル論理デバイス、ディスクリートゲートまたはトランジスタ論理デバイス、ディスクリートハードウェアコンポーネントであってもよい。本願の実施例に開示された方法、ステップ、及び論理ブロック図は、具現されたり実行されたりすることができる。汎用プロセッサは、マイクロプロセッサであってもよいし、任意の従来のプロセッサなどであってもよい。本願の実施例に関連して開示される方法のステップは、ハードウェアの復号プロセッサによって実行されるように直接具現化されてもよく、又は復号プロセッサ内のハードウェア及びソフトウェアモジュールの組み合わせによって実行されるように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で周知の記憶媒体内に配置され得る。記憶媒体はメモリに配置され、プロセッサは、メモリの情報を読み取り、そのハードウェアと共に、上記方法のステップを実行する。
【０１８１】
本願の実施例におけるメモリは、揮発性メモリ又は不揮発性メモリであるか、又は揮発性メモリ及び不揮発性メモリの両方を含むことができることを理解されたい。ここで、不揮発性メモリは、Ｒｅａｄ−Ｏｎｌｙ Ｍｅｍｏｒｙ、Ｐｒｏｇｒａｍｍａｂｌｅ ＲＯＭ、ＥＰＲＯＭ、Ｅｌｅｃｔｒｉｃａｌｌｙ ＥＰＲＯＭ、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってもよい。限定ではなく例示として、静的ランダムアクセスメモリ( Ｓｔａｔｉｃ ＲＡＭ、ＳＲＡＭ )、動的ランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンストシンクロナスダイナミックランダムアクセスメモリ( Ｅｎｈａｎｃｅｄ ＳＤＲＡＭ、ＥＳＤＲＡＭ )、シンクロナスリンクダイナミックランダムアクセスメモリ( Ｓｙｎｃｈｌｉｎｋ ＤＲＡＭ、ＳＬＤＲＡＭ )、およびダイレクトメモリバスランダムアクセスメモリ( Ｄｉｒｅｃｔ Ｒａｍｂｕｓ ＲＡＭ、ＤＲ ＲＡＭ )など、多くの形態のＲＡＭが利用可能である。本明細書で説明するシステムおよび方法のメモリは、これらおよび任意の他の適切なタイプのメモリを含むことが意図されるが、これらに限定されないことに留意されたい。
【０１８２】
なお、上述したメモリは例示的なものであって限定的なものではないが、例えば、本願の実施例におけるメモリは、ＳＲＡＭ （ ｓｔａｔｉｃ ＲＡＭ ）、ＤＲＡＭ （ ｄｙｎａｍｉｃ ＲＡＭ ）、ＳＤＲＡＭ （ ｓｙｎｃｈｒｏｎｏｕｓ ＤＲＡＭ )、ＤＤＲ （ ＤＤＲ ＳＤＲＡＭ )のダブルデータレート同期型ダイナミックランダムアクセスメモリ、ＥＳＤＲＡＭ （ ｅｎｈａｎｃｅｄ ＳＤＲＡＭ ）、ＳＬＤＲＡＭ （ ｓｙｎｃｈ ｌｉｎｋ ＤＲＡＭ )、ＤＲ ＲＡＭ （ Ｄｉｒｅｃｔ Ｒａｍｂｕｓ ＲＡＭ )等であってもよい。すなわち、本願の実施例におけるメモリは、これら及び任意の他の適切なタイプのメモリを含むことが意図されるが、これらに限定されない。
【０１８３】
本願の実施例は、コンピュータプログラムを記憶するコンピュータ可読記憶媒体をさらに提供する。
【０１８４】
任意選択で、該コンピュータ読み取り可能な記憶媒体は、本願の実施例におけるネットワークデバイスに適用され、且つ該コンピュータプログラムは、コンピュータに、本願の実施例の各方法におけるネットワークデバイスにより実現される相応のフローを実行させ、簡潔にするために、ここではその説明を省略する。
【０１８５】
任意選択で、該コンピュータ読み取り可能な記憶媒体は、本願の実施例における移動端末/端末デバイスに適用され、且つ該コンピュータプログラムは、コンピュータに、本願の実施例の各方法における移動端末/端末デバイスにより実現される相応のフローを実行させ、簡潔にするために、ここではその説明を省略する。
【０１８６】
本願の実施例は、コンピュータプログラム命令を含むコンピュータプログラム製品をさらに提供する。
【０１８７】
任意選択で、該コンピュータプログラム製品は、本願の実施例におけるネットワークデバイスに適用され、該コンピュータプログラム命令は、コンピュータに、本願の実施例の各方法におけるネットワークデバイスにより実現される対応するフローを実行させ、簡潔にするために、ここでその説明を省略する。
【０１８８】
任意選択で、該コンピュータプログラム製品は、本願の実施例における移動端末/端末デバイスに適用され、該コンピュータプログラム命令は、コンピュータに、本願の実施例における各方法における移動端末/端末デバイスにより実現される対応するフローを実行させ、簡潔にするために、ここでは説明を省略する。
【０１８９】
本願の実施例は、コンピュータプログラムをさらに提供する。
【０１９０】
任意選択で、該コンピュータプログラムは、本願の実施例におけるネットワークデバイスに適用されてもよく、該コンピュータプログラムがコンピュータ上で実行されると、コンピュータに本願の実施例の各方法におけるネットワークデバイスにより実現される対応するフローを実行させ、簡潔にするために、ここではその説明を省略する。
【０１９１】
任意選択で、該コンピュータプログラムは、本願の実施例における移動端末/端末デバイスに適用されてもよく、該コンピュータプログラムがコンピュータ上で実行されると、コンピュータに本願の実施例の各方法における移動端末/端末デバイスにより実現される対応するフローを実行させ、簡潔にするために、ここでは説明を省略する。
【０１９２】
当業者は、本明細書に開示された実施例に関連して説明された各例のユニット及びアルゴリズムステップが、電子ハードウェア、又はコンピュータソフトウェアと電子ハードウェアの組合せで実装され得ることを認識するであろう。これらの機能がハードウェアまたはソフトウェアのいずれの方法で実行されるかは、技術案の特定の適用例および設計制約に依存する。当業者は、説明された機能を実施するために、特定の適用例ごとに異なる方法を使用してもよいが、そのような実施は、本願の範囲から逸脱すると見なされるべきではない。
【０１９３】
当業者であれば、説明の便宜及び簡潔のために、上記説明したシステム、装置及びユニットの具体的な動作過程は、上記方法の実施例における対応する過程を参照してもよく、ここでその説明が省略されることを理解するであろう。
【０１９４】
本明細書で提供されるいくつかの実施例では、開示されるシステム、装置、および方法は、他の方法で実施され得ることを理解されたい。例えば、上述した装置の実施例は単なる例示であり、例えば、説明されたユニットの分割は、１つの論理機能の分割にすぎず、実際に実装される場合、追加の分割があってもよく、例えば、複数のユニット又は構成要素が別のシステムに結合されても、統合されてもよく、又は、一部の特徴が省略されても、実行されなくてもよい。別の点において、示された又は考察された相互の結合又は直接的な結合又は通信接続は、電気的、機械的又は他の形態の、何らかのインターフェース、装置又はユニットを介した間接的な結合又は通信接続であってもよい。
【０１９５】
前記分離手段として説明された手段は、物理的に分離されても、または分離されなくてもよく、手段として示された手段は、物理的な手段であっても、または分離されなくてもよく、すなわち、一箇所に位置してもよく、または複数のネットワーク要素に分散されてもよい。なお、本実施例の目的を達成するために、必要に応じて、その一部または全部を選択することができる。
【０１９６】
また、本願の各実施例における各機能ユニットは、１つの処理ユニットに集積されてもよいし、それぞれのユニットが物理的に別個に存在してもよいし、２つ以上のユニットが１つのユニットに集積されてもよい。
【０１９７】
また、これらの機能がソフトウェア機能として実現され、独立した製品として販売または利用される場合には、コンピュータ読み取り可能な記録媒体に格納されてもよい。このような理解に基づいて、本願の技術案は、本質的に、または、従来技術に貢献する部分、または、その技術案の部分を、記憶媒体に記憶されたソフトウェア製品の形態で具体化することができ、そのソフトウェア製品は、本願の各実施例で説明される方法のステップの全部または一部を、コンピュータ装置(パーソナルコンピュータ、サーバ、またはネットワークデバイスなどであってもよい)に実行させるための命令を含む。なお、前記記憶媒体としては、Ｕ-ディスク、ポータブルハードディスク、Ｒｅａｄ-Ｏｎｌｙ Ｍｅｍｏｒｙ、ＲＯＭ、Ｒａｎｄｏｍ Ａｃｃｅｓｓ Ｍｅｍｏｒｙ、ＲＡＭ、磁気ディスク、光ディスクなど種々のプログラムコードを記憶できるものを含む。
【０１９８】
以上のように、本願の実施例は、本願の技術的思想に基づいて説明されたが、本願は、上述の実施例に限定されるものではなく、本願の技術的思想に基づく当業者であれば、本願の技術的範囲に含まれる。したがって、本願の保護範囲は、特許請求の範囲の保護範囲によってのみ定められるべきである。
【図１】
2022502884.tif 000003
【図２】
2022502884.tif 000004
【図３】
2022502884.tif 000005
【図４】
2022502884.tif 000006
【図５】
2022502884.tif 000007
【図６】
2022502884.tif 000008
【図７】
2022502884.tif 000009
【図８】
2022502884.tif 000010
【図９】
2022502884.tif 000011
【図１０】
2022502884.tif 000012
【図１１】
2022502884.tif 000013
【図１２】
2022502884.tif 000014
【図１３】
2022502884.tif 000015
【図１４】
2022502884.tif 000016
【図１５】
2022502884.tif 000017
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
端末デバイスが上りデータを少なくとも１回送信し、前記少なくとも１回の上りデータの毎回の上りデータに対して前記毎回の上りデータの伝送情報を送信することを含み、
前記毎回の上りデータの伝送情報は、前記毎回の上りデータの番号、前記少なくとも１回の上りデータの総回数、前記少なくとも１回の上りデータのうちの現在送信された上りデータの回数のうちの少なくとも１つを含む
ことを特徴とする無線通信方法。
【請求項２】
前記端末デバイスが上りデータを少なくとも１回送信することは、
前記端末デバイスが免許不要周波数帯域においてチャネルリスニングを行うことと、
チャネルリスニングが成功した場合、前記端末デバイスが前記免許不要周波数帯域において上りデータを前記少なくとも１回送信することとを含む
ことを特徴とする請求項１に記載の無線通信方法。
【請求項３】
前記毎回の上りデータは、単一の伝送ブロックＴＢ、又は、単一の符号化ブロックグループＣＢＧ、又は、マルチストリームに対応する複数のＴＢ又はＣＢＧ、又は、単一の時間領域位置に対応する複数のＴＢ又はＣＢＧを含む
ことを特徴とする請求項１又は２に記載の無線通信方法。
【請求項４】
前記方法は、さらに、
前記端末デバイスが、ネットワークデバイスが前記上りデータに対して送信するフィードバック情報を取得することを含む
ことを特徴とする請求項１〜３のいずれか１項に記載の無線通信方法。
【請求項５】
前記端末デバイスが、ネットワークデバイスが前記上りデータに対して送信するフィードバック情報を取得することは、
前記毎回の上りデータの番号に基づいて、前記毎回の上りデータのフィードバック情報を取得することを含む
ことを特徴とする請求項４に記載の無線通信方法。
【請求項６】
前記毎回の上りデータの番号に基づいて、前記毎回の上りデータのフィードバック情報を取得することは、
前記毎回の上りデータの番号に基づいて、受信されたフィードバックメッセージから前記毎回の上りデータのフィードバック情報が前記フィードバックメッセージで占用するビット位置を決定し、前記フィードバックメッセージが前記少なくとも１回の上りデータのうちの全部又は一部の上りデータのフィードバック情報を含むことと、
前記ビット位置に基づいて、前記フィードバックメッセージから前記毎回の上りデータのフィードバック情報を取得することとを含む
ことを特徴とする請求項５に記載の無線通信方法。
【請求項７】
前記方法は、さらに、
前記端末デバイスがネットワークデバイスにより送信された第２の情報を受信することを含み、前記第２の情報が前記端末デバイスが送信可能な上りデータの回数の最大値を示す
ことを特徴とする請求項１に記載の無線通信方法。
【請求項８】
ネットワークデバイスが、端末デバイスにより少なくとも１回送信された上りデータ、及び前記少なくとも１回の上りデータの毎回の上りデータに対して端末デバイスにより送信された前記毎回の上りデータの伝送情報を受信することと、
前記上りデータの伝送情報に基づいて、前記ネットワークデバイスが前記端末デバイスに前記上りデータのフィードバック情報を送信することとを含み、
前記毎回の上りデータの伝送情報は、前記毎回の上りデータの番号、前記少なくとも１回の上りデータの総回数、現在送信された上りデータの回数のうちの少なくとも１つを含む
ことを特徴とする無線通信方法。
【請求項９】
前記少なくとも１回の上りデータと前記伝送情報とは、免許不要周波数帯域に搬送される
ことを特徴とする請求項８に記載の無線通信方法。
【請求項１０】
前記毎回の上りデータは、単一の伝送ブロックＴＢ、又は、単一の符号化ブロックグループＣＢＧ、又は、マルチストリームに対応する複数のＴＢ又はＣＢＧ、又は、単一の時間領域位置に対応する複数のＴＢ又はＣＢＧを含む
ことを特徴とする請求項８又は９に記載の無線通信方法。
【請求項１１】
前記ネットワークデバイスが前記端末デバイスに前記上りデータのフィードバック情報を送信することは、
前記毎回の上りデータの番号に基づいて、前記毎回の上りデータのフィードバック情報を送信することを含む
ことを特徴とする請求項８〜１０のいずれか１項に記載の無線通信方法。
【請求項１２】
前記毎回の上りデータの番号に基づいて、前記毎回の上りデータのフィードバック情報を送信することは、
前記毎回の上りデータの番号に基づいて、前記毎回の上りデータのフィードバック情報がフィードバックメッセージで占用するビット位置を決定し、前記フィードバックメッセージが前記少なくとも１回の上りデータにおけるフィードバック情報を含むことと、
前記ビット位置で前記毎回の上りデータのフィードバック情報を搬送することと、
前記フィードバックメッセージを送信することとを含む
ことを特徴とする請求項１１に記載の無線通信方法。
【請求項１３】
前記方法は、さらに、
前記ネットワークデバイスが前記端末デバイスに第２の情報を送信することを含み、前記第２の情報が前記端末デバイスが送信可能な上りデータの回数の最大値を示す
ことを特徴とする請求項８に記載の無線通信方法。
【請求項１４】
請求項１〜７に記載の方法を実行する
ことを特徴とする端末デバイス。
【請求項１５】
請求項８〜１３に記載の方法を実行する
ことを特徴とするネットワークデバイス。
【国際調査報告】
2022502884.tif 000018
2022502884.tif 000019
2022502884.tif 000020
2022502884.tif 000021